(57)【要約】【課題】撮影光学系における視度補正レンズの有無にかかわらず、適切なオートフォーカスを実現可能な眼底撮像装置を提供する。【解決手段】眼底撮像装置は、照明光を被検眼の眼底に投影する照明光学系と、眼底からの反射光を撮像素子に導く撮影光学系と、撮影光学系の光路に設けられ、撮像素子の撮像面を眼底に対して合焦させるフォーカスレンズと、光路に対して挿脱可能に設けられた視度補正レンズと、を有する。眼底撮像装置は、フォーカスレンズを駆動しながら得られる撮像素子からの信号に基づいて、合焦を検出することにより合焦を行なう。ここで、眼底撮像装置は、視度補正レンズが光路へ挿入されているか否かに応じて、合焦に用いられる合焦位置検出方法を切り替える。【選択図】  図１
2014083396.tif 000002
【特許請求の範囲】
【請求項１】
照明光を被検眼の眼底に投影する照明光学系と、
前記眼底からの反射光を撮像手段に導く撮影光学系と、
前記撮影光学系の光路に設けられ、前記撮像手段を前記眼底に対して合焦させるフォーカスレンズと、
前記光路に対して挿脱可能に設けられた視度補正レンズと、
前記フォーカスレンズを駆動しながら得られる前記撮像手段からの信号に基づいて、合焦を検出する合焦手段と、
前記視度補正レンズが前記光路へ挿入されているか否かに応じて、前記合焦手段が用いる合焦位置検出方法を切り替える切替手段と、を備えることを特徴とする眼底撮像装置。
【請求項２】
前記切替手段は、
前記視度補正レンズが前記光路に挿入されていない場合には、スプリット像のズレを評価することで合焦位置を算出するスプリット合焦方式を利用し、
前記視度補正レンズが前記光路に挿入されている場合には、前記スプリット像を用いずに合焦位置を検出する合焦方式を利用することを特徴とする請求項１に記載の眼底撮像装置。
【請求項３】
前記合焦手段は、スプリット像のズレを評価することで合焦位置を算出するスプリット合焦方式と、画像のコントラストを評価することで合焦位置を算出するコントラスト合焦方式と、を用いることができ、
前記切替手段は、前記光路に前記視度補正レンズが挿入されているか否かに応じて、前記スプリット合焦方式と前記コントラスト合焦方式の使用、不使用を切り替えることを特徴とする請求項１または２に記載の眼底撮像装置。
【請求項４】
前記切替手段は、前記視度補正レンズが前記光路に挿入されていないときは前記スプリット合焦方式と前記コントラスト合焦方式を用い、前記視度補正レンズが前記光路に挿入されているときは、前記コントラスト合焦方式を用いるように、前記合焦手段が用いる合焦位置検出方法を切り替えることを特徴とする請求項３に記載の眼底撮像装置。
【請求項５】
前記切替手段は、前記視度補正レンズが前記光路に挿入されていないときは前記スプリット合焦方式を用い、前記視度補正レンズが前記光路に挿入されているときは、前記コントラスト合焦方式を用いるように、前記合焦手段が用いる合焦位置検出方法を切り替えることを特徴とする請求項３に記載の眼底撮像装置。
【請求項６】
照明光を被検眼の眼底に投影する照明光学系と、
前記眼底からの反射光を撮像手段に導く撮影光学系と、
前記撮影光学系の光路に設けられ、前記撮像手段を前記眼底に対して合焦させるフォーカスレンズと、
前記光路に対して挿脱可能に設けられた視度補正レンズと、を備える眼底撮像装置の制御方法であって、
合焦手段が、前記フォーカスレンズを駆動しながら得られる前記撮像手段からの信号に基づいて、合焦を検出する合焦工程と、
切替手段が、前記視度補正レンズが前記光路へ挿入されているか否かに応じて、前記合焦工程で用いられる合焦位置検出方法を切り替える切替工程と、を有することを特徴とする眼底撮像装置の制御方法。
【請求項７】
コンピュータに、請求項６に記載の制御方法の各工程を実行させるためのプログラム。
【発明の詳細な説明】
【技術分野】
【０００１】
本件は眼底撮影装置及び制御方法に関する。
【背景技術】
【０００２】
眼底カメラにより好適な眼底像を撮影するためには、被検者ごとに眼底に対して焦点を合わせることが必要である。これは、被検眼ごとに屈折度が異なるためである。このような合焦操作を容易にするため、オートフォーカス機能を有した眼底カメラが知られている。一般に、そのような眼底カメラでは、被検者の眼底を撮影する際、観察光学系に設置されたフォーカスレンズと、照明光学系に設置され、フォーカスレンズと同期して駆動するフォーカス指標とを用いて合焦が行われる。
【０００３】
このとき、強度の近視や遠視を補正するための視度補正レンズが観察光学系に挿入されていると、スプリットとフォーカスの光学的関係が変化してしまう。すなわち、視度補正レンズが観察光学系に挿入されていると、フォーカスレンズとフォーカス指標の光学的な関係が崩れるため、フォーカス指標を用いた合焦が不可能となる。そのため、検者は実際の眼底像を観察しながら手動で合焦をする必要が生じる。特許文献１によれば、視度補正レンズが挿入されている場合には、フォーカスレンズの操作感度を変化させ、手動での合焦操作を行いやすくする発明が開示されている。
【先行技術文献】
【特許文献】
【０００４】
【特許文献１】特開２０１１−１８９０６３号公報
【発明の概要】
【発明が解決しようとする課題】
【０００５】
しかしながら、合焦操作を手動で行うことは、検者にとって煩わしい作業であり、検者の熟練度が低ければ、合焦操作に時間がかかり、被検者に負担をかけてしまう。
【０００６】
本件は上記の課題に鑑みてなされたものであり、視度補正レンズが挿入された状態であっても、オートフォーカスが可能な眼底カメラを提供することを目的の１つとする。
なお、前記目的に限らず、後述する発明を実施するための形態に示す各構成により導かれる作用効果であって、従来の技術によっては得られない作用効果を奏することも本発明の他の目的の1つとして位置付けることができる。
【課題を解決するための手段】
【０００７】
上記目的を達成するための本件の一態様による眼底撮像装置は以下の構成を備える。すなわち、
照明光を被検眼の眼底に投影する照明光学系と、
前記眼底からの反射光を撮像手段に導く撮影光学系と、
前記撮影光学系の光路に設けられ、前記撮像手段を前記眼底に対して合焦させるフォーカスレンズと、
前記光路に対して挿脱可能に設けられた視度補正レンズと、
前記フォーカスレンズを駆動しながら得られる前記撮像手段からの信号に基づいて、合焦を検出する合焦手段と、
前記視度補正レンズが前記光路へ挿入されているか否かに応じて、前記合焦手段が用いる合焦位置検出方法を切り替える切替手段と、を備える。
【発明の効果】
【０００８】
本件によれば、視度補正レンズが挿入された状態であっても、オートフォーカスが可能となる。
【図面の簡単な説明】
【０００９】
【図１】実施形態による眼底カメラの概略構成の一例を示す図。
【図２】実施形態による第一の合焦位置検出方法の一例を説明する図。
【図３】実施形態による第一の合焦位置検出方法の一例を説明する図。
【図４】実施形態による第二の合焦位置検出方法の一例を説明する図。
【図５】実施形態による眼底カメラの撮影シーケンスの一例に係わるフローチャート。
【発明を実施するための形態】
【００１０】
以下、本発明を適用した眼底撮像装置の好適な実施形態を添付の図面を用いて説明する。
【００１１】
図１は実施形態による眼底撮像装置としての眼底カメラ１００の概略の構成例を示す図である。本実施形態の眼底カメラ１００は大まかに分けて撮影光源部１０１、観察光源部１０２、照明光学系１０３、撮影／照明光学系１０４、撮影光学系１０５から構成される。撮影光源部１０１または観察光源部１０２によって射出された光束は照明光学系１０３、撮影／照明光学系１０４を経て被検者眼底部を照明し、その眼底部の像は撮影／照明光学系１０４、撮影光学系１０５を経て撮像素子に結像される。
【００１２】
撮影光源部１０１において、１１は光量検出部であり、ＳＰＣやＰＤなど既知の光電変換を利用したセンサである。１２は撮影光源であり、ガラス管の中にキセノン（Ｘｅ）を封入し電圧を印加することで発光し、撮影時に眼底像を記録するために十分な強度の白色光を得ることが可能である。１３は撮影コンデンサレンズであり、一般的な球面レンズである。１４は撮影リングスリットであり、環状の開口を持った平板である。１５は撮影水晶体バッフルであり、これも環状の開口を持った平板である。
【００１３】
観察光源部１０２において、１６は観察光源であり、ハロゲンランプやＬＥＤなど連続発光可能な光源であり、素子の特性やフィルタによって赤外光を発光する。１７は観察コンデンサレンズであり、一般的な球面レンズである。１８は観察リングスリットであり、環状の開口を持った平板である。１９は観察水晶体バッフルであり、これも環状の開口を持った平板である。
【００１４】
照明光学系１０３では、撮影光源部１０１、観察光源部１０２で作られた光束をリレーするとともに、眼底像の焦点合わせのための指標像を造りこむ。照明光学系１０３において、２０はダイクロイックミラーであり、赤外光を透過、可視光を反射する。したがって、撮影光源部１０１で作られた可視光による光束はダイクロイックミラー２０で反射して、観察光源部１０２で作られた赤外光による光束はダイクロイックミラー２０を透過して、照明光学系１０３に導光される。２１は第一照明リレーレンズ、２３は第二照明リレーレンズであり、これらによってリング照明は被検眼に結像される。
【００１５】
２２はスプリットユニットであり、フォーカス指標を投影するためのスプリットＬＥＤ２２１と、ＬＥＤ２２１から射出された光を分割するためのプリズム２２２、フォーカス指標の外形を示すフォーカス指標マスク２２３から構成される。スプリットユニット２２は、これらの構成を図中に示す矢印方向２２４に移動させることでフォーカス指標を光軸方向にシフト移動させる移動機構と、上記の構成を観察時には照明光学系１０３に進入させ、撮影時には退避させる進退機構とを有する。Ｍ１はスプリットシフト駆動モータ、Ｓ１はスプリット位置センサであり、スプリットユニット２２を矢印方向２２４にシフト駆動してフォーカス指標の焦点を合わせ、かつ、その停止位置を検出する。また、Ｍ２はスプリット進退駆動モータであり、スプリットユニット２２を照明光学系１０３に対して進退させる。スプリット進退駆動モータＭ２は、観察像の中にスプリット指標を投影するために、眼底観察時には照明光学系１０３内にスプリットユニット２２を進入させるように駆動制御される。そして、撮影時には、撮影像の中にフォーカス指標が写りこむことがないように照明光学系１０３からスプリットユニット２２を退避させるよう駆動制御される。２４は角膜バッフルであり、眼底像に不要な被検眼の角膜からの反射光の写りこみを防ぐ。
【００１６】
撮影／照明光学系１０４は、被検眼２７の眼底に対して照明光束を投影するとともに、被検眼眼底像を導出する。撮影／照明光学系１０４において、２５は穴あきミラーであり、外周部がミラー、中央部が穴となっている。照明光学系１０３から導かれた光束はミラー部分で反射して、対物レンズ２６を介して被検眼眼底を照明する。照明された被検眼眼底像は対物レンズ２６を戻り、穴あきミラー２５の中央部の穴を通って撮影光学系１０５に導出される。
【００１７】
撮影光学系１０５は被検眼眼底像の焦点調節を行った上でこれを撮像素子に結像する。撮影光学系１０５において、２８はフォーカスレンズであり、穴明きミラー２５の中央の穴を通過した撮影光束の焦点調節行うためのレンズであり、図中の矢印方向２８１に移動することで焦点調節を行う。Ｍ３はフォーカスレンズ駆動モータ、Ｓ３はフォーカスレンズ位置センサであり、フォーカスレンズ２８を駆動して焦点を合わせるとともに、その停止位置を検出する。２９は視度補正レンズであり、フォーカスレンズで焦点調整困難な強度の近視・遠視の被検眼眼底にピントを合わせるために、光軸上に挿脱可能に設置されている。視度補正レンズ２９は、凸レンズである視度補正＋レンズ２９１、及び、凹レンズである視度補正−レンズ２９２を含む。Ｍ４は視度補正レンズ進退駆動モータであり、患者が強度の近視である場合には視度補正−レンズ２９２を、強度の遠視である場合には視度補正＋レンズ２９１を撮影光学系１０５に対して進退（挿脱）させる。
【００１８】
３１は撮像素子であり、撮影光を光電変換する。３３は画像処理部であり、撮像素子３１から出力された信号をモニター３４、及び、システム制御部３６へ出力する。内部固視灯部１０６はハーフミラー３０によって、撮影光学系１０５から光路が分割され、その光路に対して内部固視灯ユニット３２が対向している。内部固視灯ユニット３２は複数のＬＥＤによって構成され、検者が選択した固視部に対応した位置のＬＥＤを点灯させる。被検者に点灯したＬＥＤを固視させることで、検者は所望の向きの眼底像を得ることができる。
【００１９】
焦点操作部材３５は検者が焦点操作に用いる操作部材である。焦点操作部材３５の停止位置は焦点操作部材位置センサＳ５によって検出され、システム制御部３６へ出力される。なお、この眼底カメラ１００では上記の全てのセンサからの信号がシステム制御部３６へ出力され、上記のすべてのモータがシステム制御部３６により制御される。
【００２０】
図２は実施形態における第一の合焦位置検出方法によるフォーカス指標ずれの検出を説明する模式図である。第一の合焦位置検出方法では、スプリットユニット２２により作成される２つのフォーカス指標が用いられる。なお、第一の合焦位置検出方法は、例えばシステム制御部３６により実行される。スプリットユニット２２は、フォーカスレンズ２８と同期して光軸上を駆動し、撮像素子３１へ２つの指標を投影する。投影された第一のフォーカス指標像４２ａと第二のフォーカス指標像４２ｂはスプリットが光軸上を駆動するにつれ、互いに逆方向に移動し、２つの指標が一致したときに合焦される。図２の画像４１ａ〜４１ｂは、スプリットユニット２２を駆動したときの、フォーカス指標像の様子を示しており、第一のフォーカス指標像４２ａと第二のフォーカス指標像４２ｂをそれぞれ観察することができる。
【００２１】
画像４１ａは、画像のコントラストを評価するためのスキャンの様子を示している。ここでいうコントラストとは隣接する画素の輝度差のことである。スキャンラインとは、隣接する輝度値を求める順序を示すラインであり、画像に対して水平方向、一画素ごとの等間隔のラインである。また、コントラスト値とはスキャンラインの輝度データ中の最も大きい輝度差の値としている。
【００２２】
画像４１ａにおける、４３ａ、４３ｂ、４３ｃはスキャンラインの例であり、これらを用いて第一の合焦位置検出方法におけるコントラスト値の検出手法を説明する。第一の合焦位置検出手法では、フォーカス指標を表示した状態でコントラスト値を検出する。この際、フォーカス指標部は、血管など、他の眼底像に比べ輝度値が高くなる。よって、フォーカス指標とその他の部分の輝度差がコントラスト値となる。ここでは、説明のため、フォーカス指標像の輝度値を一定、また、フォーカス指標像以外の部位の輝度値を一定として説明する。
【００２３】
スキャンライン４３ａでは、第一のフォーカス指標像４２ａ、および、第二のフォーカス指標像４２ｂがスキャンライン内に含まれないため、すべての輝度が同一となり、その結果、スキャンライン４３ａでのコントラスト値は０として算出される。次に、スキャンライン４３ｂでは、第二のフォーカス指標像４２ｂがスキャンライン内に含まれるため、指標像以外の部分の輝度と第二のフォーカス指標像４２ｂの左側面の輝度の差が、スキャンライン４３ｂでのコントラスト値として算出されることになる。たとえば、指標像以外の部分の輝度を０、第二のフォーカス指標像４２ｂの輝度を１００とすると、スキャンライン４３ｂでのコントラスト値は１００となる。さらに、スキャンライン４３ｃでは、第一のフォーカス指標像４２ａの左側面の輝度差が、スキャンライン４３ｃでのコントラスト値として算出することになる。スキャンライン４３ｂと同様に、スキャンライン４３ｃにおけるコントラスト値は１００となる。
【００２４】
次に、画像４１ａ全体のコントラスト値は、上部から下部までの垂直方向の画像数に応じたライン分をスキャンし、各ラインで求めたコントラスト値を合計した値として算出される。たとえば、第一のフォーカス指標像４２ａの１本分の縦の長さをスキャンラインの１０ライン分とすると、１００×１０＝１０００となる。このようにして、画像全体のコントラスト値を求めている。よって、画像４１ａ〜４１ｃ中の点線で囲んだ部分が、各画像のコントラスト値となって算出されることになる。
【００２５】
以上説明したように、画像４１ａのコントラスト値は、図中の点線で囲んだフォーカス指標像４２ａの１本分とフォーカス指標像４２ｂの１本分の値の合計である。同様に、画像４１ｂでは、コントラスト値は、フォーカス指標像４２ａの１本分とフォーカス指標像４２ｂの０.５本分となる。さらに、画像４１ｃでは、コントラスト値は第一のフォーカス指標像４２ａの１本分となっている。たとえば、第一のフォーカス指標像４２ａの１本分と第二のフォーカス指標像４２ｂの１本分の縦の長さが同じスキャンラインの１０ライン分であれば、画像４１ａにおけるコントラスト値は１００×２０＝２０００となる。同様に、画像４１ｂにおけるコントラスト値は１００×１５＝１５００、画像４１ｃにおけるコントラスト値は１００×１０＝１０００となる。つまり、画像４１ｃのコントラスト値が最も小さく、次いで画像４１ｂのコントラスト値となり、最もコントラスト値が大きいのが、画像４１ａとなっている。
【００２６】
次に、図２で説明したコントラスト値算出の方法と、第一のフォーカス指標像４２ａおよび第二のフォーカス指標像４２ｂの位置によるコントラスト値の違いを使って、フォーカス指標像のずれが最も小さくなる位置を検出する方法について説明する。図３は、そのような位置の検出について説明する図である。
【００２７】
図３の画像４１ｄ〜４１ｈは、図２と同様に、撮像素子３１により得られるフォーカス指標像の様子を示している。また、画像４１ｄ〜４１ｈは、スプリットユニット２２の可動可能な範囲の全域に渡って駆動したときのフォーカス指標像を示しており、第一のフォーカス指標像４２ａと第二のフォーカス指標像４２ｂの様子を観察することができる。図３の下部に示したグラフは、スプリットシフト駆動モータＭ１によりスプリットユニット２２を駆動した際のスプリットユニット２２の位置に対するコントラスト値の遷移を表している。このグラフでは、画像４１ｄ〜４１ｈの各画像から求めたコントラスト値を結んだ線が示されている。
【００２８】
図２を用いて説明したように、フォーカス指標像４２ａとフォーカス指標像４２ｂのずれが最も小さくなる画像４１ｆは、コントラスト値が最も小さくなっている。すなわち、画像４１ｆとなるスプリットユニット２２の位置が、フォーカス指標像のずれが最も小さくなる位置と一致する。つまり、画像４１ｄ〜４１ｈの各画像から求めたコントラスト値のうち、最も小さい値の位置を検出すればよいことが分かる。
【００２９】
上記の通り、第一の合焦位置検出方法では、フォーカスレンズ２８と光学的に同期して駆動する、フォーカス指標を用いて合焦位置を検出する。このように、第一の合焦位置検出方法は、スプリット像（フォーカス指標像）のズレを評価することで合焦位置を算出する、所謂スプリット合焦方式である。
【００３０】
図４は、本実施形態における第二の合焦位置検出方法を説明する模式図である。第二の合焦位置検出方法では、網膜上の中大血管周辺部分の画像のコントラスト値を評価し合焦位置検出を行う。なお、第二の合焦位置検出方法は、例えばシステム制御部３６により実行される。図４のグラフは、フォーカスレンズ駆動モータＭ３によって移動されるフォーカスレンズ２８の位置に対するコントラスト値の遷移を表しており、コントラスト値の算出の方法は、第一の合焦位置検出方法で用いる算出方法と同様である。ただし、第一の合焦位置検出方法では、指標像以外の部分の輝度とフォーカス指標像４２ａ、４２ｂの左側面の輝度の差がコントラスト成分として支配的であったが、第二の合焦位置検出方法では、フォーカス指標像を表示しない。そのため、第二の合焦位置検出方法では、網膜上の中大血管以外の部分と中大血管の両端部との輝度の差がコントラスト成分として支配的となる。
【００３１】
図４に示すように、フォーカスが合った状態では画像が鮮明になるため、合焦位置Ｆ１においてはコントラスト値が最大となり、ピントが大きくずれた位置Ｆ２では、コントラスト値が小さくなる。
【００３２】
上記の通り、第二の合焦位置検出方法では、実際撮影する画像のコントラストが最も鮮明となる位置を画像そのものから算出し合焦位置を検出する。このように、第二の合焦位置検出方法は、画像のコントラストを評価することで合焦位置を算出する、所謂コントラスト合焦方式である。このため、視度補正レンズが挿入され、フォーカスレンズ２８とスプリットユニット２２の光学的関係が崩れていても合焦位置の検出が可能である。
【００３３】
以下、眼底カメラ１００の撮影シーケンスについて、図５のフローチャートを参照して説明する。不図示の操作部から撮影開始が指示されると、ステップＳ１０１以降の処理が実行される。まず、ステップＳ１０１において、システム制御部３６は、観察光源１６を点灯する。そして、ステップＳ１０２において、システム制御部３６は、視度補正レンズ２９が撮影光学系１０５に入っているか否かを確認する。ここで、視度補正レンズ２９が撮影光学系１０５に入っていなければ処理はステップＳ１０３へ進み、入っていればステップＳ１０９へ進む。
【００３４】
ステップＳ１０３において、システム制御部３６は、スプリット進退駆動モータＭ２を駆動し、スプリットユニット２２を照明光学系１０３に進入させる。そして、ステップＳ１０４において、システム制御部３６は、スプリットＬＥＤ２２１を点灯する。ステップＳ１０５において、システム制御部３６は、スプリットシフト駆動モータＭ１を駆動し、スプリットユニット２２を初期位置へ移動する。ステップＳ１０６において、システム制御部３６は、図２、図３により上述した第一の合焦位置検出手法によるコントラスト値を算出する。ステップＳ１０７において、システム制御部３６は、スプリットユニット２２が終了位置にあるか確認する。スプリットユニット２２が終了位置になければ処理はステップＳ１０８へ進む。テップＳ１０８において、システム制御部３６は、スプリットシフト駆動モータＭ１を駆動し、スプリットユニット２２を所定量移動させ、移動後、処理をステップＳ１０６へ戻す。
【００３５】
一方、ステップＳ１０７においてスプリットユニットが終了位置にあると判定されると処理はステップＳ１０９へ進む。ステップＳ１０９において、システム制御部３６は、スプリットシフト駆動モータＭ１を駆動し、スプリットユニット２２をコントラスト値が極小となる位置へ移動する。そして、システム制御部３６は、ステップＳ１１０においてスプリットＬＥＤ２２１を消灯し、ステップＳ１１１においてスプリット進退駆動モータＭ２を駆動することによりスプリットユニット２２を照明光学系１０３から退避させる。
【００３６】
ステップＳ１１２において、システム制御部３６は、第二の合焦位置検出方法によるコントラスト評価値を算出する。ステップＳ１１３において、システム制御部３６は、ステップＳ１１２で算出したコントラスト評価値が極大となるか判定する。
極大でないと判定されると、処理はステップＳ１１４へ進む。ステップＳ１１４において、システム制御部３６は、フォーカスレンズ駆動モータＭ３により、フォーカスレンズ２８を所定量移動し、移動後、処理をステップＳ１１２へ戻す。
【００３７】
ステップＳ１１２において、コントラスト評価値が極大となると判定されると、処理はステップＳ１１５へ進む。ステップＳ１１５において、システム制御部３６は、観察光源１６の発光を停止する。そして、システム制御部３６は、ステップＳ１１６において撮像素子３１の記録を開始させ、ステップＳ１１７において撮影光源１２の発光を開始させる。ステップＳ１１８では、光量検出部１１が光量の検出を行う。ステップＳ１１９において、システム制御部３６は、ステップＳ１１８において光量検出部１１により検出された光量が所定の光量に達したかどうか確認する。光量が所定の光量に達していなければ、処理はステップＳ１１８へ戻る。光量が所定の光量に達すると、処理はステップＳ１１９からステップＳ１２０へ進む。ステップＳ１２０において、システム制御部３６は、撮影光源１２の発光を停止する。そして、ステップＳ１２１において、システム制御部３６は、撮像素子３１による記録動作を終了する。
【００３８】
以上のような構成の眼底カメラでは、強度の近視・遠視の患者の眼底を撮影するために、視度補正レンズが挿入された状態であっても、オートフォーカスが可能となる。すなわち、視度補正レンズの有無にかかわらずオートフォーカスが可能となり、好適な合焦状態での撮影が容易に行える。
【００３９】
なお、上述した処理において、視度補正レンズ２９が撮影光学系１０５の光路に挿入されていない場合は、第一の合焦位置検出方法を使用した後に第二の合焦位置検出方法を使用しているが、これに限られるものではない。例えば、視度補正レンズ２９が撮影光学系１０５の光路に挿入されていない場合には、第二の合焦位置検出方法を不使用としてもよい。
【００４０】
また、上記実施形態では、第二の合焦位置検出方法としてコントラスト合焦方式を用いたが、これに限られるものではない。スプリット像を用いずに合焦を評価できる方式であれば、いかなる方式を用いてもよい。すなわち、視度補正レンズ２９が撮影光学系の光路へ挿入されているか否かに応じた、システム制御部３６が用いる合焦位置検出方法の切替において、
・視度補正レンズ２９が光路に挿入されていない場合には、スプリット像のズレを評価することで合焦位置を算出するスプリット合焦方式を使用し、
・視度補正レンズ２９が光路に挿入されている場合には、スプリット像を使用せずに合焦位置を検出する合焦方式を利用するようにする。
【００４１】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014083396.tif 000003
【図２】
2014083396.tif 000004
【図３】
2014083396.tif 000005
【図４】
2014083396.tif 000006
【図５】
2014083396.tif 000007